(57)【特許請求の範囲】
【請求項１】
入水口と出水口を設け、入水口は第１の感震バルブを介して給水管に接続され、出水口は第２の感震バルブを介して配水管へ接続される貯水タンクであり、入水口に接続された流入管には第１の感震バルブの吐出管が接続され、この第１の感震バルブには給水管が接続され、出水口に接続された流出管には、第２の感震バルブが接続され、この第２の感震バルブの吐出管に配水管が接続され、第１の感震バルブ、第２の感震バルブはともに、感震バルブのケース内の上部には球弁が置かれる凹部が形成され、振動で球弁が落下する棚が設けられ、ケースの下部には球弁が落下したときに吐出管を閉じるための弁座が設けられ、また、感震バルブの吐出管には切欠が刻設され、前記貯水タンクの下部には、上流側に設けられて蓋が施されたケース内に収納されたフィルター付きの給水コックが設けられ、該ケースは止弁を介してタンクに接続されていることを特徴とする貯水タンク。
【請求項２】
前記給水管の先端にはボールタップが設けられている請求項１記載の貯水タンク。
【発明の詳細な説明】
【０００１】
【発明の属する技術分野】
本発明は、地震などの大きな災害時に生活用水を確保する貯水タンクの構造に関するものである。
【０００２】
【従来の技術】
ビルなどの大型の給水設備として、屋上に貯水タンクを設け、先端にボールタップを設けた給水管を貯水タンクの入水口に挿入し、各室への配水管を出水口に接続したものが知られている。また、家庭の給水設備として、給水管の途中に１０リットル程度の貯水タンクを配設したものが知られている。
【０００３】
この種の給水設備は、地震などにより給水が止まった場合にある程度有効であるが、貯水タンクの出水口からの給水管が破損した場合には、貯水タンク内の水が全て流出してしまう。
【０００４】
【発明が解決しようとする課題】
そこで本発明は、地震などにより給水が止まり、さらに貯水タンクの出水口からの配管が破損しても、タンク内の水が流出しない貯水タンクを提供することを目的とする。
【０００５】
【課題を解決するための手段】
前記目的を達成するため本発明は、第１に、入水口と出水口を設け、入水口は第１の感震バルブを介して給水管に接続され、出水口は第２の感震バルブを介して配水管へ接続される貯水タンクであり、入水口に接続された流入管には第１の感震バルブの吐出管が接続され、この第１の感震バルブには給水管が接続され、出水口に接続された流出管には、第２の感震バルブが接続され、この第２の感震バルブの吐出管に配水管が接続され、第１の感震バルブ、第２の感震バルブはともに、感震バルブのケース内の上部には球弁が置かれる凹部が形成され、振動で球弁が落下する棚が設けられ、ケースの下部には球弁が落下したときに吐出管を閉じるための弁座が設けられ、また、感震バルブの吐出管には切欠が刻設され、前記貯水タンクの下部には、上流側に設けられて蓋が施されたケース内に収納されたフィルター付きの給水コックが設けられ、該ケースは止弁を介してタンクに接続されていることを要旨とするものである。
【０００６】
第２に、前記給水管の先端にはボールタップが設けられていることを要旨とするものである。
【０００７】
請求項１記載の本発明によれば、前記入水口は感震バルブを介して給水管に接続され、感震バルブの吐出管には切欠が刻設されているので、強い揺れが起こると切欠の部分で切断され、給水管と貯水タンクとの相互揺れによる影響が除かれ、また感震バルブが閉じるので切断されても給水管から水が吐出することがない。
【０００８】
さらに、前記出水口に接続された感震バルブの吐出管は給水管に接続され、吐出管には切欠が刻設されているので、強い揺れが起こると切欠の部分で切断され、貯水タンクと配水管の相互揺れによる影響が除かれる。
【０００９】
請求項２記載の本発明によれば、前記入水口には給水管が挿入され、該給水管の先端にはボールタップが設けられているので、常に貯水タンク内の水位は満タン位置に保たれる。
【００１０】
請求項３記載の本発明によれば、前記貯水タンクの下部にはフイルター付きの給水コックが設けられているので、いつでもきれいな水が得られる。また、請求項４記載の本発明によれば、前記フイルターは、給水コック上流側に設けられたケース内に収納され、該ケースは止弁を介してタンクに接続されているので、汚れたフイルターの交換が容易である。
【００１１】
【発明の実施の形態】
本発明の実施の形態を図面に基づいて説明する。図１は本発明を給油所に実施したもので、計量機１を設置した給油所の敷地には事務所などの建物２が建てられている。敷地の片隅には、第一の貯水タンク１０が設けられ、この貯水タンク１０には公共水道からの給水管３と配水管４が接続されている。この配水管４は蛇口５に接続されている。また、建物２の屋上には第二の貯水タンク５０が設けられている。この貯水タンクも第一の貯水タンク１０と同様に、給水管３と配水管４が接続され、配水管４は蛇口５に接続されている。
【００１２】
図２に示すように、敷地の片隅に設けられた第一の貯水タンク１０の上部には、給水管３が第１の感震バルブ２０を介して接続されている。また中部には第２の感震バルブ３０を介して配水管４が接続され、さらに下部には、フイルター付きの給水コック４０が設けられている。
【００１３】
図３に示すように、貯水タンク１０の上部の入水口１１に接続された流入管１２には感震バルブ２０の吐出管２１が接続され、この感震バルブ２０には給水管３が接続されている。感震バルブ２０のケース２２内の上部には球弁２３が置かれる凹部２４が形成された棚２５が設けられ、ケース２２の下部には球弁２３が落下したときに吐出管２１を閉じるための弁座２６が設けられている。また感震バルブ２０の吐出管２１には強い振動により切断される切欠２７が刻設されている。
【００１４】
図４に示すように、貯水タンク１０の中部の出水口１３に接続された流出管１４には、感震バルブ３０が接続され、この感震バルブ３０の吐出管３１に配水管４が接続されている。この感震バルブ３０は前述したものと同じものであり、ケース３２内には球弁３３が置かれる凹部３４を有する棚３５が設けられ、また球弁３３が着座する弁座３６が設けられ、そして吐出管３１には切欠３７が刻設されている。
【００１５】
図５に示すように、フイルター付きの給水コック４０は貯水タンク１０の下部に取り付けられている。止弁４１を介して貯水タンク１０に接続されたケース４２内にはフイルター４３が収納され、ケース４２には蓋４４が施され、ケース４２の他方は給水コック４５に接続されている。
【００１６】
上記のように構成された貯水タンクにおいて、通常時は、給水管３からの水は感震バルブ２０を介して入り貯水タンク１０を満たし、貯水タンク１０内の水は感震バルブ３０及び配水管４を介して蛇口５より吐出される。そして強い地震が発生すると、感震バルブ２０、３０の球弁２３、３３は振動で棚２５、３５より落下し、弁座２６、３６に着座する。また、感震バルブ２０、３０の吐出管２１、３１は切欠２７、３７の部分で破断し、感震バルブ２０、３０の損傷は防止される。これにより配水管４が損傷を受けても貯水タンク１０からの水の流出がなり、貯水タンク１０の水は確保される。
【００１７】
水が必要になったならば、給水コック４５を開けば水が得られる。振動により貯水タンク１０内の澱が水に混じるが、給水コック４５から流出する水は、フイルター４３で濾過されてきれいになっている。そしてフイルター４３が汚れたならば、止弁４１を閉じ、蓋４４を外せばフイルター４３は容易に交換できる。
【００１８】
次に、第二の貯水タンク５０を説明する。図６に示すものは第二の貯水タンクであるが、入水口５１には給水管３が挿入され、この給水管３の先端にボールタップ５２が設けられている。そして、このボールタップ５２により貯水タンク１０内の水位は常に満タン位置に保持されている。その他は、第一の貯水タンク１０と同じであるので説明は省略する。
【００１９】
【発明の効果】
以上説明したように本発明の貯水タンクは、上部に入水口を下部に出水口を設けた貯水タンクにおいて、出水口を感震バルブを介して配水管へ接続したので、地震などにより給水が止まり、さらに貯水タンクの出水口からの配管が破損しても、タンク内の水が流出することがなく、災害時の生活用水の確保が確実になされる。
【図面の簡単な説明】
【図１】  本発明の貯水タンクを設置した給油所の斜視図である。
【図２】  本発明の貯水タンクの第一の実施の形態の断面図である。
【図３】  本発明の貯水タンクの入水口部分の断面図である。
【図４】  本発明の貯水タンクの出水口部分の断面図である。
【図５】  本発明の貯水タンクのフイルター付き給水コック部分の断面図である。
【図６】  本発明の貯水タンクの第二の実施の形態の一部の断面図である。
【符号の説明】
１・・・計量機
２・・・建物
３・・・給水管
４・・・配水管
５・・・蛇口
１０、５０・・・貯水タンク
１１、５１・・・入水口
１２・・・流入管
２０、３０・・・感震バルブ
２１、３１・・・吐出管
２２、３２・・・ケース
２３、３３・・・球弁
２４、３４・・・凹部
２５、３５・・・棚
２６、３６・・・弁座
２７、３７・・・切欠
４０・・・フイルター付きの給水コック
４１・・・止弁
４２・・・ケース
４３・・・フイルター
４４・・・蓋
４５・・・給水コック
５２・・・ボールタップ
【図１】
0003666092.tif 000002
【図２】
0003666092.tif 000003
【図３】
0003666092.tif 000004
【図４】
0003666092.tif 000005
【図５】
0003666092.tif 000006
【図６】
0003666092.tif 000007